(57)【要約】【課題】楕円式のように、安定して移動できる騎馬シミュレーションの装置を提供する。【解決手段】ベース１０及びサドル５０を有し、載せディバイス３０は移動可能にベース１０に架設され、サドル５０は載せディバイス３０に架設され、駆動装置２０は載せディバイス３０及びサドル５０を駆動し、ベース１０に対応して、楕円形のように回転する。【選択図】図１
0003132012.tif 000002
【実用新案登録請求の範囲】
【請求項１】
ベース（１０）及びサドル（５０）を有し、
載せディバイス（３０）は移動可能にベース（１０）に架設され、
サドル（５０）は載せディバイス（３０）に架設され、
駆動装置（２０）が載せディバイス（３０）及びサドル（５０）を駆動し、ベース（１０）に対応して、楕円形のように回転することを特徴とする騎馬シミュレーション装置。
【請求項２】
ベース（１０）には、少なくとも一本のクランク（１３）を有し、
載せディバイス（３０）には少なくとも一つの弧状段（３５）を有し、クランク（１３）に接続され、クランク（１３）に作動されることを特徴とする請求項１に記載の騎馬シミュレーション装置。
【請求項３】
駆動装置（２０）には少なくとも一本のクランク（１３）を有し、載せディバイス（３０）に接続され、モーター（２３）がされ、クランク（１３）に接続されることを特徴とする請求項１に記載の騎馬シミュレーション装置。
【考案の詳細な説明】
【技術分野】
【０００１】
本考案は楕円式のように、安定して移動可能な騎馬シミュレーション（simulation）装置に関するものである。
【背景技術】
【０００２】
従来から、既知の騎馬シミュレーションの装置は皆、駆動装置が設けられる。サドル（saddle）を駆動すると、様々な騎馬のシミュレーションの運動を行う。駆動装置が枢設軸を経由して、サドルに連結するので、サドルは瞬間的に、往復するように運動し、瞬間的に、反対の方向へ運動する。
【考案の開示】
【考案が解決しようとする課題】
【０００３】
しかし、従来から、既知の騎馬シミュレーションの装置は駆動装置に対応して、緩衝の動作を行わなかったため、相当激しく作動して、ユーザ（user）の傷害を招いていた。
【課題を解決するための手段】
【０００４】
そこで、本考案の目的は楕円式のように、安定して移動できる騎馬シミュレーションの装置を提供することにある。
【考案を実施するための最良の形態】
【０００５】
本考案の目的、特徴を遂げて、採用される技術手段及び効果などをご了解いただくために、以下に具体的な実施例を図面をあわせて詳しく説明する。
本考案の一実施例による騎馬シミュレーションの装置は支持柱１１を有する。それはベース（base）１０の前面部位から、上へ延伸する。支持フレーム（frame）１２はベース１０の後面部位に設けられる。一対のクランク（crank）１３は枢設軸１４を経由し、支持フレーム１２に枢設、接続される。スライドホイル（slide wheel）１５は各クランク１３の末端に設けられる。駆動装置２０はフライホイール（fly wheel）２１を有し、枢設軸２２で、支持フレーム１２に枢設、接続する。モーター（motor）２３の軸心２４は歯車、チェーン、又はベルトなど連結装置２５で、フライホイール２１に接続される。おもり２６も枢設軸１４に枢設、接続する。もう一つの連結装置２７を経由して、フライホイール２１の枢設軸２２に接続するので、おもり２６、フライホイール２１、及びクランク１３はモーター２３に駆動されて、回転できる。勿論、モーター２３に直接に連結しても良く、つまり、モーター２３にとって、おもり２６、フライホイール２１は不要である。
【０００６】
載せディバイス（device）３０は少なくとも、一本のロッド（rod）３１、３２がある。その前端はパイプ３３、レバー１６、及び枢設軸１７を経由して、ベース１０の支持柱１１に接続される。少なくとも、一本のフレームロッド（frame rod）３４はロッド３１、３２の間に連結される。各ロッド３１、３２は弧状段３５を末端３６に設置し、移動できるように、クランク１３のスライドホイル１５に架設される。クランク１３に駆動されると、円形又は楕円形のように回転できる。
【０００７】
中間の弧状段３５が上死点３７及び低点３８を持つ（図５から図７を参照）ので、クランク１３のスライドホイル１５は上死点３７へ移動している。ロッド３１、３２の長さで、ロッド３１、３２がクランク１３のスライドホイル１５から脱落、分離することを防ぐ。勿論、載せディバイス３０は少なくとも一つのストッパー（stopper）３９を追加しても良く、各弧状段３５またはロッド３１、３２に接続し、スライドホイル１５がロッド３１、３２から脱落、分離されるということを防ぐ。また、少なくとも、一つの保持ユニット（unit）４０が配置され、各弧状段３５又はロッド３１、３２に接続することにより、スライドホイル１５の位置決めをする。
【０００８】
作動のときに、モーター２３はまずクランク２３を駆動し、ロッド３１、３２の弧状段３５又は末端３６を円形又は楕円のように回転させる。ロッド３１、３２の弧状段３５又は末端３６が弧状段３５に固定しないので、ロッド３１、３２の弧状段３５又は末端３６としては、慣性で、クランク１３のスライドホイル１５に対応して、緩衝式の移動が進行する。
【０００９】
載せディバイス３０は殻体４１を持ち、ロッド３１、３２又は架設ロッド３４に設けられる。それは非円形収容室４２を具有する。非円形の滑りロッド５１は活動自在に、殻体４１の非円形収容室４２に設けて、上下に移動できるが、回転できない。パッド（pad）５２は滑りロッド５１に設けられる。調整ロッド５３は滑りロッド５１の中に嵌め込まれて、しかも、締め付けユニット５４（図９参照）で、滑りロッド５１に締め付けられる。モーター５５はロッド３１、３２又は架設ロッド３４に設けられる。スクリュー（screw）５６はモーター５５に接続され、調整ロッド５３に螺合される。そして、モーター５５はスクリュー５６及び調整ロッド５３を駆動し、サドル５０及びパッド（pad）５２の高さを調整する。サドル５０は横方向のビーム（beam）５７を持ち、滑りロッド５１に配置される。シャフトブッシュ（shaft bush）５８及び二つの収容体５９は横方向のビーム５７に設置される。フレーム６０は枢設軸６１を経由して、横方向のビーム５７におけるシャフトブッシュ５８に枢設、接続する。そのため、パッド（pad）５２を支持する以外、フレーム６０及びパッド５２も横方向のビーム５７及び滑りロッド５１に対応して、ずれるように回転できる。
【００１０】
二つの弾性ユニット６２は緩衝のために、フレーム６０、横方向のビーム５７、及び滑りロッド５１の間に設けられる。二つの締め付けユニット６３は横方向のビーム５７、収容体５９、及び弾性ユニット６２を通過して、フレーム６０に螺合、接続する。それぞれ拡大のヘッド（head）６４を持つので、フレーム６０が横方向のビーム５７又は滑りロッド５１と相対的にずれるように回転することが制限できる。サドル５０はさらに、支持ロッド６５を有し、フレーム６０に締め付けられる。それは少なくとも、一つの調整孔６６を具有するので、調整できるように、二つの馬の鐙６７を架設する。
【００１１】
操作の時に、図５から図７を御参照して下さい。サドル５０及び載せディバイス３０はモーター２３の駆動で、楕円形かつ往復するように作動される。そして、ロッド３１、３２の前端又はパイプ３３は前後又は水平に沿って、往復するように移動できる。載せディバイス３０の弧状段３５又は末端３６ならば、ベース１０に対応して、円形又は楕円形のように回転できる。結局、載せディバイス３０及びサドル５０はベース１０に対応して、楕円形のように回転することができる。
【図面の簡単な説明】
【００１２】
【図１】本考案の一実施例による騎馬シミュレーションの装置を示す斜視図である。
【図２】本考案の一実施例による騎馬シミュレーションの装置のの一部分斜視図である。
【図３】本考案の一実施例による騎馬シミュレーションの装置を示す側面図である。
【図４】本考案の一実施例による騎馬シミュレーションの装置の一部分の斜視図である。
【図５】本考案の一実施例による騎馬シミュレーションの装置の動作を示す模式図である。
【図６】本考案の一実施例による騎馬シミュレーションの装置の動作を示す模式図である。
【図７】本考案の一実施例による騎馬シミュレーションの装置の動作を示す模式図である。
【図８】本考案の一実施例による騎馬シミュレーションの装置の一部分の分解斜視図である。
【図９】本考案の一実施例による騎馬シミュレーションの装置の一部分の側面図である。
【図１０】本考案の一実施例による騎馬シミュレーションの装置の一部分の分解斜視図である。
【図１１】本考案の一実施例による騎馬シミュレーションの装置の局部の平面動作を示す模式図である。
【符号の説明】
【００１３】
１０：ベース、１１：支持柱、１２：支持フレーム、１３：クランク、１４：枢設軸、１５：スライドホイル、１６：レバー、１７：枢設軸、２０：駆動装置、２１：フライホイール、２２：枢設軸、２３：モーター、２４：軸心、２５：連結装置、２６：おもり、２７：連結装置、３０：載せディバイス、３１、３２：ロッド、３３：パイプ、３４：フレームロッド、３５：弧状段、３６：末端、３７：上死点、３８：低点、３９：ストッパー、４０：保持ユニット、４１：殻体、４２：非円形収容室、５０：サドル、５１：滑りロッド、５２：パッド、５３：調整ロッド、５４：締め付けユニット、５５：モーター、５６：スクリュー、５７：横方向のビーム、５８：シャフトブッシュ、５９：収容体、６０：フレーム、６１：枢設軸、６２：弾性ユニット、６３：締め付けユニット、６４：ヘッド、６５：支持ロッド、６６：調整孔、６７：馬の鐙
【図１】
0003132012.tif 000003
【図２】
0003132012.tif 000004
【図３】
0003132012.tif 000005
【図４】
0003132012.tif 000006
【図５】
0003132012.tif 000007
【図６】
0003132012.tif 000008
【図７】
0003132012.tif 000009
【図８】
0003132012.tif 000010
【図９】
0003132012.tif 000011
【図１０】
0003132012.tif 000012
【図１１】
0003132012.tif 000013